(57)【要約】【課題】  従来のリムの弦溝に振動吸収部材を取り付けた洋弓では、十分に衝撃や振動を抑制できないという欠点があった。【解決手段】  本発明の洋弓は、ハンドルと、上記ハンドルの上下端に夫々その基部を接続したリムと、上記上下のリムの遊端部間に張設したストリングと、上記リムに固定した振動吸収部材とよりなり、上記振動吸収部材はストリング振動緩衝用の低反発ゴム部材と、上記低反発ゴム部材の上面に設けた耐摩耗ゴム部材と、上記耐摩耗部材の上面に設けた弦溝とよりなることを特徴とする。また、上記振動吸収部材は、洋弓のリムに固定する、ストリング振動緩衝用の低反発ゴム部材と、上記低反発ゴム部材の上面に設けた耐摩耗部材と、上記耐摩耗部材の上面に設けた弦溝とよりなることを特徴とする。【選択図】  図１ 
2005351524.tif 000002
【特許請求の範囲】
【請求項１】
洋弓のリムに固定する、ストリング振動緩衝用の低反発ゴム部材と、上記低反発ゴム部材の上面に設けた耐摩耗部材と、上記耐摩耗部材の上面に設けた弦溝とよりなることを特徴とする洋弓の振動吸収部材。
【請求項２】
上記弦溝が上記耐摩耗部材の中央部から一端に向って次第に深くなる舟形の溝であることを特徴とする請求項１記載の洋弓の振動吸収部材。
【請求項３】
ハンドルと、上記ハンドルの上下端に夫々その基部を接続したリムと、上記上下のリムの遊端部間に張設したストリングと、上記リムに固定した振動吸収部材とよりなり、上記振動吸収部材はストリング振動緩衝用の低反発ゴム部材と、上記低反発ゴム部材の上面に設けた耐摩耗部材と、上記耐摩耗部材の上面に設けた弦溝とよりなることを特徴とする洋弓。
【請求項４】
上記振動吸収部材はストリングハイト状態で上記ストリングによって押圧されない位置で上記リムに設けられていることを特徴とする請求項３記載の洋弓。
【請求項５】
上記弦溝が上記耐摩耗部材の中央部から一端に向って次第に深くなる舟形の溝であることを特徴とする請求項３または４記載の洋弓。
【発明の詳細な説明】
【技術分野】
【０００１】
本発明は洋弓及びその振動吸収部材、特に矢を放った際の衝撃、振動や騒音を吸収する部材及びその部材を取り付けた洋弓に関するものである。
【背景技術】
【０００２】
図５〜図７は従来の振動吸収部材を取り付けた洋弓を示し、１は洋弓、２は上記洋弓１のハンドル、３，３は上記ハンドル２の上下端に夫々その基部を接続したリム、４は上記上下のリム３，３の遊端部間に張設したストリング、５は上記各リム３の内面に設けた、上記ストリング４が通過する断面半円形状の弦溝、６は上記各弦溝５内に埋めた振動吸収部材である。
【０００３】
上記従来の振動吸収部材６を取り付けた洋弓においては、矢（図示せず）を添えた上記洋弓１のストリング４の中央部を手で必要なだけ引いて、手を離すことにより矢が発射され、これと略同時に上記ストリング４の上下部分が上記振動吸収部材６に衝突し、この際、その衝撃を上記振動吸収部材６が緩和して、上記上下のリム３，３の振動を抑制せしめている。
【０００４】
上記従来の振動吸収部材６を取り付けた洋弓１としては例えば特許文献１に示すものがある。
【０００５】
【特許文献１】特開２００３−７５０９５号公報（第３図）
【発明の開示】
【発明が解決しようとする課題】
【０００６】
然しながら、上記従来の振動吸収部材６を取り付けた洋弓１においては、十分に衝撃や振動を抑制できないという欠点があった。
【０００７】
また、上記ストリング４と上記低反発ゴム部材７は多少引っ付くので、上記耐磨耗ゴム部材８を設けなかった場合に異音を発生する。
【０００８】
また、上記振動吸収部材６は弦溝５内に取り付けているので、その交換や脱着が難しいという欠点があった。
【０００９】
本発明は上記の欠点を除くようにしたものである。
【課題を解決するための手段】
【００１０】
本発明の振動吸収部材は、洋弓のリムに固定する、ストリング振動緩衝用の低反発ゴム部材と、上記低反発ゴム部材の上面に設けた耐摩耗部材と、上記耐摩耗部材の上面に設けた弦溝とよりなることを特徴とする。
【００１１】
また、本発明の洋弓は、ハンドルと、上記ハンドルの上下端に夫々その基部を接続したリムと、上記上下のリムの遊端部間に張設したストリングと、上記リムに固定した振動吸収部材とよりなり、上記振動吸収部材はストリング振動緩衝用の低反発ゴム部材と、上記低反発ゴム部材の上面に設けた耐摩耗部材と、上記耐摩耗部材の上面に設けた弦溝とよりなることを特徴とする。
【００１２】
本発明の洋弓においては、上記振動吸収部材がストリングハイト状態で上記ストリングによって押圧されない位置で上記リムに設けられていることを特徴とする。
【００１３】
また、上記弦溝は、上記耐摩耗部材の中央部から一端に向って次第に深くなる舟形の溝であることを特徴とする。
【発明の効果】
【００１４】
本発明の洋弓によれば、洋弓のストリングやリムの衝撃、振動、騒音を抑制する効果が大きく矢を放った後の射手のフォームを安定にし、また、弓の寿命も長くすることができるという大きな利益がある。
【００１５】
また、上記ストリングが衝突する部分には耐摩耗性部材を設けたので、低反発ゴム部材の耐久性、耐候性を高めることができ、また、上記耐摩耗性部材が線として受けるストリングの衝撃を面で低反発ゴム部材に伝えることができるので、効果的な振動衝撃の吸収を実現することができる。
【００１６】
また、ストリングが接するようになる上記耐摩耗部材の上面に弦溝を設けたので、上記ストリングが上記耐摩耗部材に衝突した際に上記ストリングの左右のブレを防止することができる。
【００１７】
また、手で引かれた上記ストリングは矢が放たれるストリングハイト状態（全くストリングを手で引かない元の状態）になった後に、上記ストリングが上記振動吸収部材に衝突するので、上記リムに蓄えられたエネルギー全てを矢に与えることができ、弓の性能やリムの反発力を落とすことがない。
【００１８】
上記振動吸収部材をリムに形成した弦溝に固定する必要がないので、上記振動吸収部材の上記リムへの取付や脱着が容易となる。
【００１９】
また、従来の洋弓では上記ストリングと上記振動吸収部材が通常接したままとなっているので、手で上記ストリングを引いた際に上記振動吸収部材から上記ストリングが離れる瞬間に異音が生じていたが、本発明においてはこのような異音は発生しない。
【発明を実施するための最良の形態】
【００２０】
以下図面によって本発明の実施例を説明する。
【実施例１】
【００２１】
本発明の洋弓は図１〜図４に示すように、例えば縦４０ｍｍ，横１５ｍｍ，厚さ１０ｍｍのスポンジ状の直方体状の反発弾性が１０％未満の低反発ゴム部材７と、上記低反発ゴム部材７の上面に設けた、同じく例えば縦４０ｍｍ，横１５ｍｍ，厚さ２ｍｍでゴム硬度が３０〜６０度の硬質ウレタンゴム等の耐磨耗ゴム部材８と、上記耐磨耗ゴム部材８の上面に設けた、上記耐磨耗ゴム部材８の一端から略中央部まで伸びる傾斜した、中央部から一端に向って次第に深くなる舟形の弦溝９とよりなる振動吸収部材１０を上記リム３の内面に両面テープ１１等により固定せしめる。
【００２２】
なお、ストリングハイト状態では上記耐磨耗ゴム部材８の弦溝９部分を上記ストリング４が通り、上記振動吸収部材１０は上記ストリング４によって押圧されない位置で上記リム３の内面に固定せしめる。
【００２３】
本発明の洋弓は上記のような構成であるから、矢を添えた上記洋弓１のストリング４の中央部を手で必要なだけ引いて、手を離すことにより矢が発射され、その後上記ストリング４が上記振動吸収部材１０に衝突し、この際、上記ストリング４やリム３の衝撃、振動、騒音を上記振動吸収部材１０が吸収して、上記ストリング４やリム３の衝撃、振動、騒音を抑制せしめ、これにより矢を放った後の射手のフォームを安定することができ、また、弓の寿命も長くすることができる。
【００２４】
また、上記ストリング４はストリングハイト状態になった後に上記振動吸収部材１０に衝突するようになるので、上記リム３に蓄えられたエネルギーの全てを矢に与えることができ、弓の性能やリムの反発力を落とすことがない。
【００２５】
また、上記振動吸収部材１０を上記リム３に形成した弦溝５に固定する必要がないので、上記振動吸収部材１０の上記リム３への取付や脱着が容易となる。
【００２６】
また、上記ストリング４が衝突する部分に耐摩耗ゴム部材８を設けたので、低反発ゴム部材７の耐久性、耐候性を高めることができ、また、上記耐摩耗ゴム部材８が線として受けるストリングの衝撃を面で低反発ゴム部材７に伝えることができるので、効果的な振動衝撃の吸収を実現することができる。
【００２７】
また、従来の洋弓では上記ストリング４と上記振動吸収部材６が通常接したままとなっているので、手で上記ストリング４を引いた際に上記振動吸収部材６から上記ストリング４が離れる瞬間に異音が生じていたが、本発明においてはこのような異音は発生しない。
【００２８】
また、上記耐磨耗ゴム部材８の上面に弦溝９を設けたので、上記ストリング４が上記耐磨耗ゴム部材８に衝突した際に上記ストリング４の左右のブレを防止することができる。
【図面の簡単な説明】
【００２９】
【図１】リムに固定した振動吸収部材を有する本発明の洋弓の側面図である。
【図２】本発明の振動吸収部材の平面図である。
【図３】図２に示す振動吸収部材の正面図である。
【図４】図２に示す振動吸収部材の左側面図である。
【図５】従来の洋弓の正面図である。
【図６】図５に示す洋弓のリムの一部拡大右側面図である。
【図７】図６のＡ−Ａ線断面図である。
【符号の説明】
【００３０】
１  洋弓
２  ハンドル
３  リム
４  ストリング
５  弦溝
６  振動吸収部材
７  低反発ゴム部材
８  耐摩耗ゴム部材
９  弦溝
１０  振動吸収部材
１１  両面テープ
【図１】
2005351524.tif 000003
【図２】
2005351524.tif 000004
【図３】
2005351524.tif 000005
【図４】
2005351524.tif 000006
【図５】
2005351524.tif 000007
【図６】
2005351524.tif 000008
【図７】
2005351524.tif 000009